(57)【要約】【課題】アンテナ特性に影響を与えることなく高次歪による受信障害を回避するアンテナ回路を提供する。【解決手段】アンテナ回路は、信号ライン、ダイオード、およびフィルタを備える。信号ラインは、アンテナと接続する。ダイオードは、信号ラインとグランドとの間に接続される。フィルタは、信号ラインとダイオードとの間またはダイオードとグランドとの間に接続され、信号ラインに入力した妨害波を遮断する。これによって、妨害波が入力してもダイオード通過電流が発生しないので、ダイオードの端子間に電圧が加わることによって生じる高調波や高次歪の発生を防止することができる。【選択図】図１
2008109189.tif 000002
【特許請求の範囲】
【請求項１】
アンテナと接続する信号ラインと、
前記信号ラインとグランドとの間に接続されたダイオードと、
前記信号ラインと前記ダイオードとの間または前記ダイオードとグランドとの間に接続され、前記信号ラインに入力した妨害波を遮断するフィルタとを備える、アンテナ回路。
【請求項２】
前記フィルタは、前記妨害波の周波数と同一の共振周波数を有するノッチフィルタであり、前記信号ラインと前記ダイオードとの間または前記ダイオードとグランドとの間に接続される、請求項１に記載のアンテナ回路。
【請求項３】
前記フィルタは、前記妨害波の周波数を除去するローパスフィルタであり、前記ダイオードとグランドとの間に接続される、請求項１に記載のアンテナ回路。
【請求項４】
前記信号ラインは、特定周波数を受信対象とする電子回路へ前記アンテナで受信した信号を出力し、
前記フィルタは、前記特定周波数の３分の１の周波数成分を有する妨害波を遮断する、請求項１に記載のアンテナ回路。
【請求項５】
前記ダイオードは、前記信号ラインに対する過入力保護回路を構成する、請求項１に記載のアンテナ回路。
【発明の詳細な説明】
【技術分野】
【０００１】
本発明は、アンテナ回路に関し、特に、特定周波数の信号を受信する受信装置に搭載されるアンテナ回路に関する。
【背景技術】
【０００２】
従来、通信機器への電波入力部には、静電気等の過入力保護回路としてダイオード（耐サージダイオード）が用いられることが一般的である（例えば、特許文献１参照）。上記特許文献１で開示されたノイズフィルタでは、静電気の放電による電子機器内部素子を保護するために、アノード側を接地しカソード側を信号ラインに接続したツェナーダイオードが耐サージダイオードとして用いられている。
【特許文献１】実開平３−１２３３１６号公報
【発明の開示】
【発明が解決しようとする課題】
【０００３】
しかしながら、テレビ放送やＦＭ放送等の送信塔近傍の強電界地域では、当該放送波とは異なる特定周波数の信号を受信する受信機であっても、当該放送波が妨害波となって受信障害が発生することがある。例えば、非線形素子である耐サージダイオードの端子間に電圧が加わると微弱電流が生じ、高調波や高次歪が発生する。そして、上記妨害波の電圧レベルが１ｄＢ増加すると、２次歪レベルが２ｄＢ、３次歪レベルが３ｄＢとなって、高次歪の増加の割合が激しいことから、妨害波強入力時には３次歪成分が問題となることが多い。
【０００４】
具体的には、上記放送波の映像信号が１０３．２５ＭＨｚ、音声信号が１０７．７５ＭＨｚであり、これらの強信号が受信機に入力した場合、１０３．２５×２＋１０７．７５＝３１４．２５ＭＨｚや１０３．２５×３＝３０９．７５ＭＨｚ等の３次歪成分が大きく出現する。つまり、受信機が受信対象としている特定周波数が３１０ＭＨｚであっても、上記３次歪成分によって当該３１０ＭＨｚ付近での通信障害が発生する。
【０００５】
このような受信障害を防ぐために、信号ラインにバンドパスフィルタ等を挿入することによって、耐サージダイオードの手前で上記妨害波の電圧レベルを下げて高調波や高次歪の発生を防止することが行われている。しかしながら、アンテナ回路を備えた受信機において、信号ラインにフィルタを設けると当該信号ラインのインピーダンスが変化するため、アンテナ特性に影響を与えてしまう。
【０００６】
それ故に、本発明の目的は、アンテナ特性に影響を与えることなく高次歪による受信障害を回避するアンテナ回路を提供することである。
【課題を解決するための手段】
【０００７】
上記のような目的を達成するために、本発明は、以下に示すような特徴を有している。
第１の発明は、アンテナ回路である。アンテナ回路は、信号ライン、ダイオード、およびフィルタを備える。信号ラインは、アンテナと接続する。ダイオードは、信号ラインとグランドとの間に接続される。フィルタは、信号ラインとダイオードとの間またはダイオードとグランドとの間に接続され、信号ラインに入力した妨害波を遮断する。
【０００８】
第２の発明は、上記第１の発明において、フィルタは、妨害波の周波数と同一の共振周波数を有するノッチフィルタである。そして、フィルタは、信号ラインとダイオードとの間またはダイオードとグランドとの間に接続される。
【０００９】
第３の発明は、上記第１の発明において、フィルタは、妨害波の周波数を除去するローパスフィルタである。フィルタは、ダイオードとグランドとの間に接続される。
【００１０】
第４の発明は、上記第１の発明において、信号ラインは、特定周波数を受信対象とする電子回路へアンテナで受信した信号を出力する。フィルタは、特定周波数の３分の１の周波数成分を有する妨害波を遮断する。
【００１１】
第５の発明は、上記第１の発明において、ダイオードは、信号ラインに対する過入力保護回路を構成する。
【発明の効果】
【００１２】
上記第１の発明によれば、強い妨害波が入力してもフィルタに遮られてダイオードの端子間に電位差が発生しないので、ダイオード通過電流が発生しない。したがって、ダイオードの端子間に電圧が加わることによって生じる高調波や高次歪の発生を防止することができる。
【００１３】
上記第２の発明によれば、ノッチフィルタは、妨害周波数でハイインピーダンスとなり、強い妨害波が入力してもノッチフィルタに遮られてダイオードの端子間に電位差が発生しないので、ダイオード通過電流が発生しない。したがって、ダイオードの端子間に電圧が加わることによって生じる高調波や高次歪の発生を防止することができる。ここで、ノッチフィルタが想定される妨害波に対してピンポイントで減衰させるために耐サージ性能に優れ、有効性が高い。また、ノッチフィルタは、信号ライン上に設けられておらず、ダイオードが通常入力電圧でハイインピーダンスとなるために信号ラインのインピーダンスに影響を及ぼさない。したがって、アンテナ回路は、ノッチフィルタを挿入することによるアンテナ特性の変化がない。
【００１４】
上記第３の発明によれば、ローパスフィルタは、広帯域の妨害周波数に対する通過損失が大きいため、強い妨害波が入力してもローパスフィルタに遮られてダイオードの端子間に電位差が発生しないので、ダイオード通過電流が発生しない。したがって、ダイオードの端子間に電圧が加わることによって生じる高調波や高次歪の発生を防止することができる。ここで、ローパスフィルタは、広帯域の妨害波が想定されるときに有効性が高い。また、ローパスフィルタは、信号ライン上に設けられておらず、ダイオードが通常入力電圧でハイインピーダンスとなるために信号ラインのインピーダンスに影響を及ぼさない。したがって、アンテナ回路は、ローパスフィルタを挿入することによるアンテナ特性の変化がない。
【００１５】
上記第４の発明によれば、妨害波強入力時には３次歪成分が問題となることが多いが、当該３次歪成分と受診対象としている特定周波数とが重なるときの受信障害を防止することができる。
【００１６】
上記第５の発明によれば、信号ラインに静電気等の強入力があった場合、ダイオードがＯＮすることによって過入力を保護する回路として機能する。
【発明を実施するための最良の形態】
【００１７】
（第１の実施形態）
以下、図１を参照して、本発明の第１の実施形態に係るアンテナ回路を備えた受信装置について説明する。なお、図１は、当該アンテナ回路を備えた受信装置の概略構成を示す図である。
【００１８】
図１において、上記受信装置は、電子回路部９を備えており、当該電子回路部９の電波入力部としてアンテナ回路が備えられている。アンテナ回路は、アンテナ１、耐サージダイオード２、およびノッチフィルタ３を含んでいる。
【００１９】
アンテナ１は、キャパシタＣ１〜Ｃ３を介して電子回路部９への出力端子に接続されている。そして、キャパシタＣ１とキャパシタＣ２との間の接続点は、キャパシタＣ４を介して接地される。
【００２０】
キャパシタＣ２とキャパシタＣ３との間の接続点には、ノッチフィルタ３を介して耐サージダイオード２のカソード側が接続される。ノッチフィルタ３は、キャパシタＣ３０とインダクタＬ３０とを含んでおり、周波数ｆｃの成分を減衰させる。そして、耐サージダイオード２は、アノード側が接地されている。ここで、耐サージダイオード２は、強入力保護用に設けられており、例えば、ツェナーダイオードやスイッチングダイオードで構成される。
【００２１】
電子回路部９は、狭帯域フィルタ９０、増幅器９１、乗算器９２、ローパスフィルタ９３、復調ＩＣ９４、およびマイコン９５を備えており、特定周波数ｆｒの信号を受信する。狭帯域フィルタ９０は、電子回路部９への出力端子から受信した信号から特定の周波数帯域の信号を通過させて増幅器９１へ出力する。増幅器９１は、狭帯域フィルタ９０を通過した信号を増幅して、乗算器９２へ出力する。乗算器９２は、増幅器９１から出力された信号で所定周期のインパルス列の振幅を変調し、標本化された信号をローパスフィルタ９３に出力する。乗算器９２で標本化された信号は、ローパスフィルタ９３を介して低域のみが復調ＩＣ９４に入力して復調される。そして、マイコン９５は、復調ＩＣ９４で復調された情報に応じた処理を行う。
【００２２】
次に、図２Ａおよび図２Ｂを参照して、ノッチフィルタ３の特性について説明する。なお、図２Ａは、ノッチフィルタ３の他方側が接地状態となったときの信号ラインに対する特性例を示す図である。図２Ｂは、ノッチフィルタ３の他方側がハイインピーダンス状態となったときの信号ラインに対する特性例を示す図である。
【００２３】
ノッチフィルタ３を構成するキャパシタＣ３０の静電容量をＣ、ノッチフィルタ３を構成するインダクタＬ３０のインダクタンスをＬとすると、ノッチフィルタ３が減衰させる共振周波数ｆｃは、
【数１】
2008109189.tif 000003
となる。そして、共振周波数ｆｃを、想定されている妨害波の周波数ｆｉと同一に設定することによって、妨害周波数ｆｉの成分を減衰させて妨害波を遮断するノッチフィルタ３として機能させる。
【００２４】
ここで、上述したように、非線形素子である耐サージダイオード２の端子間に電圧が加わると微弱電流が生じて高調波や高次歪が発生し、妨害波強入力時には３次歪成分が問題となることが多い。例えば、受信装置が特定周波数ｆｒの信号を受信する場合、妨害周波数ｆｉの妨害波の３次歪成分が特定周波数ｆｒ付近に生じると受信障害が発生する。具体的には、特定周波数ｆｒが３１０ＭＨｚである場合、放送波の映像信号が１０３．２５ＭＨｚおよび音声信号が１０７．７５ＭＨｚが妨害周波数ｆｉとなって、１０３．２５×２＋１０７．７５＝３１４．２５ＭＨｚや１０３．２５×３＝３０９．７５ＭＨｚ等の３次歪成分によって受信障害が発生する。このような場合、特定周波数ｆｒの３分の１の周波
数ｆｒ／３（つまり、妨害周波数ｆｉ付近）と同一の周波数を、ノッチフィルタ３が減衰させる共振周波数ｆｃに設定する。
【００２５】
これによって、ノッチフィルタ３は、妨害周波数ｆｉでハイインピーダンスとなり（図２Ａ）、妨害周波数ｆｉの強い放送波が入力してもノッチフィルタ３に遮られて耐サージダイオード２の端子間に電位差が発生しないので、ダイオード通過電流が発生しない。したがって、耐サージダイオード２の端子間に電圧が加わることによって生じる高調波や高次歪（特に、３次歪成分）の発生を防止することができる。ここで、ノッチフィルタ３が想定される妨害波に対してピンポイントで減衰させるために耐サージ性能に優れ、有効性が高い。また、ノッチフィルタ３は、信号ライン上に設けられておらず、耐サージダイオード２が通常入力電圧でハイインピーダンスとなるために信号ラインのインピーダンスに影響を及ぼさない（図２Ｂ）。したがって、ノッチフィルタ３を挿入することによるアンテナ特性の変化がない。さらに、上記アンテナ回路は、信号ラインに静電気等の強入力があった場合、耐サージダイオード２がＯＮして電子回路部９への過入力を保護する回路としても機能する。
【００２６】
なお、上述した説明では、アンテナ回路の信号ラインと耐サージダイオード２との間にノッチフィルタ３を設置したが、他の位置にノッチフィルタ３を設置してもかまわない。図３は、他の位置にノッチフィルタ３を設置したアンテナ回路を備えた受信装置の概略構成を示す図である。
【００２７】
図３において、上記受信装置は、図１と同様に電子回路部９の電波入力部としてアンテナ回路が備えられている。アンテナ回路は、アンテナ１、耐サージダイオード２、およびノッチフィルタ３を含んでいる。なお、図３に示した受信装置は、ノッチフィルタ３を設置する位置を除いて、他の構成要素は図１に示した受信装置と同様である。したがって、図３においては、図１の受信装置と同様の構成要素については同じ参照符号を付して、詳細な説明を省略する。
【００２８】
キャパシタＣ２とキャパシタＣ３との間の接続点には、耐サージダイオード２のカソード側が接続される。そして、耐サージダイオード２のアノード側は、ノッチフィルタ３を介して接地される。ここで、耐サージダイオード２は、図１の受信装置と同様に強入力保護用に設けられており、例えば、ツェナーダイオードやスイッチングダイオードで構成される。また、ノッチフィルタ３は、キャパシタＣ３０とインダクタＬ３０とを含んでおり、共振周波数ｆｃの成分を減衰させる。このように図３に示すアンテナ回路では、耐サージダイオード２とグランドとの間にノッチフィルタ３が設置される。そして、共振周波数ｆｃを、図１の受信装置と同様に想定されている妨害波の周波数ｆｉと同一に設定することによって、妨害周波数ｆｉの成分を減衰させて妨害波を遮断するノッチフィルタ３として機能させる。
【００２９】
このように、ノッチフィルタ３が、耐サージダイオード２とグランドとの間に設置した場合においても、妨害周波数ｆｉでハイインピーダンスとなり、妨害周波数ｆｉの強い放送波が入力してもノッチフィルタ３に遮られて耐サージダイオード２の端子間に電位差が発生しないので、ダイオード通過電流が発生しない。したがって、耐サージダイオード２の端子間に電圧が加わることによって生じる高調波や高次歪（特に、３次歪成分）の発生を防止することができる。また、耐サージダイオード２とグランドとの間に設置したノッチフィルタ３は、信号ライン上に設けられておらず、耐サージダイオード２が通常入力電圧でハイインピーダンスとなるために信号ラインのインピーダンスに影響を及ぼさない。したがって、ノッチフィルタ３を挿入することによるアンテナ特性の変化がない。さらに、静電気等の強入力があった場合、耐サージダイオード２がＯＮして電子回路部９への過入力を保護する回路としても機能する。
【００３０】
（第２の実施形態）
以下、図４を参照して、本発明の第２の実施形態に係るアンテナ回路を備えた受信装置について説明する。なお、図４は、当該アンテナ回路を備えた受信装置の概略構成を示す図である。
【００３１】
図４において、上記受信装置は、電子回路部９を備えており、当該電子回路部９の電波入力部としてアンテナ回路が備えられている。アンテナ回路は、アンテナ１、耐サージダイオード２、およびローパスフィルタ４を含んでいる。
【００３２】
アンテナ１は、キャパシタＣ１〜Ｃ３を介して電子回路部９への出力端子に接続されている。そして、キャパシタＣ１とキャパシタＣ２との間の接続点は、キャパシタＣ４を介して接地される。
【００３３】
キャパシタＣ２とキャパシタＣ３との間の接続点には、耐サージダイオード２のカソード側が接続される。そして、耐サージダイオード２のアノード側は、ローパスフィルタ４を介して接地される。ここで、耐サージダイオード２は、図１および図３の受信装置と同様に強入力保護用に設けられており、例えば、ツェナーダイオードやスイッチングダイオードで構成される。また、ローパスフィルタ４は、アンテナ１に入力する信号の低い周波数成分を通過させ、高い周波数成分を減衰させて遮断する。このように図４に示すアンテナ回路では、耐サージダイオード２とグランドとの間にローパスフィルタ４が設置される。
【００３４】
電子回路部９の構成は、図１と同様であるため、同一の構成要素に同一の参照符号を付して、詳細な説明を省略する。
【００３５】
次に、図５を参照して、ローパスフィルタ４の特性について説明する。なお、図５は、ローパスフィルタ４の通過損失特性例を示す図である。
【００３６】
図５において、上述したように、非線形素子である耐サージダイオード２の端子間に電圧が加わると微弱電流が生じて高調波や高次歪が発生し、妨害波強入力時には３次歪成分が問題となることが多い。例えば、受信装置が特定周波数ｆｒの信号を受信する場合、妨害周波数ｆｉの妨害波の３次歪成分が特定周波数ｆｒ付近に生じると受信障害が発生する。このような妨害周波数ｆｉは、広帯域であることがあり、例えば、妨害周波数ｆｉ１〜ｆｉ２の範囲で妨害波の入力が想定される。このような場合、妨害周波数ｆｉ１〜ｆｉ２に対する通過損失が大きく、低い周波数帯域の通過損失が極めて小さいローパスフィルタ４を設定する。例えば、特定周波数ｆｒの３分の１の周波数ｆｒ／３を中心に所定の帯域幅（ｆｉ１〜ｆｉ２）に対して通過損失が大きく、低い周波数帯域では通過損失が極めて小さい通過損失特性を設定する。具体的には、特定周波数ｆｒが３１０ＭＨｚであり、妨害波の周波数が１００ＭＨｚ〜１５０ＭＨｚの範囲で想定されるとき、周波数１００ＭＨｚ〜１５０ＭＨｚの範囲の通過損失が大きく、低域の周波数では通過損失が小さいローパスフィルタ４が設定される。なお、ローパスフィルタ４は、その通過損失特性が固定されたフィルタを用いてもいいし、その通過損失特性が可変のフィルタを用いてもかまわない。
【００３７】
これによって、ローパスフィルタ４は、妨害周波数ｆｉ１〜ｆｉ２に対する通過損失が大きいため（図５参照）、妨害周波数ｆｉ１〜ｆｉ２の範囲で強い放送波が入力してもローパスフィルタ４に遮られて耐サージダイオード２の端子間に電位差が発生しないので、ダイオード通過電流が発生しない。したがって、耐サージダイオード２の端子間に電圧が加わることによって生じる高調波や高次歪（特に、３次歪成分）の発生を防止することが
できる。ここで、ローパスフィルタ４は、広帯域の妨害波が想定されるときに有効性が高い。また、ローパスフィルタ４は、信号ライン上に設けられておらず、耐サージダイオード２が通常入力電圧でハイインピーダンスとなるために信号ラインのインピーダンスに影響を及ぼさない。したがって、ローパスフィルタ４を挿入することによるアンテナ特性の変化がない。さらに、上記アンテナ回路は、信号ラインに静電気等の強入力があった場合、耐サージダイオード２がＯＮして電子回路部９への過入力を保護する回路としても機能する。
【００３８】
なお、本発明のアンテナ回路は、強入力保護用のダイオードが設けられた他の態様に対しても適用することができる。例えば、アンテナ回路に入力する信号の正負極性に対応するために、上述した耐サージダイオード２に加えて、逆方向の耐サージダイオードを並列に設置して過入力保護回路を構成する態様もある。以下、このような過入力保護回路に本発明のアンテナ回路が適用された変形例について説明する。図６は、本発明に係るアンテナ回路の第１の変形例を示す図である。
【００３９】
図６において、一対の耐サージダイオードが並列に設置された上記過入力保護回路は、キャパシタＣ２とキャパシタＣ３との間の接続点（例えば、図１参照）に、耐サージダイオード２ａのカソード側が接続されて接地される。また、キャパシタＣ２とキャパシタＣ３との間の接続点には、耐サージダイオード２ａと並列してさらに耐サージダイオード２ｂのアノード側が接続されて接地される。このような過入力保護回路の場合、上述したローパスフィルタ４と同じ通過損失特性を有するローパスフィルタ４ａが、耐サージダイオード２ａのアノード側とグランドとの間に設置される。また、上述したローパスフィルタ４と同じ通過損失特性を有するローパスフィルタ４ｂが耐サージダイオード２ｂのカソード側とグランドとの間に設置される。このように、一対の耐サージダイオード２ａおよび２ｂとグランドとの間に、それぞれローパスフィルタ４ａおよび４ｂを設置することによって、本発明を実現することができる。
【００４０】
また、図６に示した過入力保護回路においては、第１の実施形態で説明したノッチフィルタ３を用いることもできる。この場合、図６におけるローパスフィルタ４ａの代わりにノッチフィルタ３と同じ特性を有するノッチフィルタ３ａを設置し、ローパスフィルタ４ｂの代わりにノッチフィルタ３と同じ特性を有するノッチフィルタ３ｂを設置すれば、本発明を実現することができる。
【００４１】
また、図６に示した過入力保護回路に対してノッチフィルタ３を用いて本発明を実現する場合、一対の耐サージダイオード２ａおよび２ｂの信号ライン側にノッチフィルタ３を設置することも可能である。図７は、本発明に係るアンテナ回路の第２の変形例を示す図である。
【００４２】
図７において、キャパシタＣ２とキャパシタＣ３との間の接続点は、第１の実施形態で説明した１つのノッチフィルタ３を介して、耐サージダイオード２ａのアノード側および耐サージダイオード２ｂのカソード側が接続される。そして、耐サージダイオード２ａのカソード側および耐サージダイオード２ｂのアノード側がそれぞれ接地される。このように、一対の耐サージダイオード２ａおよび２ｂと信号ラインとの間に、第１の実施形態で説明した１つのノッチフィルタ３を設置することによって、本発明を実現することができる。
【００４３】
また、図８に示すように、耐サージダイオード２ｂのアノード側に、逆電圧をかけて当該耐サージダイオード２ｂがＯＮしないように制御する電圧印加部Ｖ１と、キャパシタＣ５とを接続して接地するアンテナ回路における過入力保護回路を構成する態様もある。図８は、このような過入力保護回路に、本発明のアンテナ回路が適用された第３の変形例を
示す図である。
【００４４】
図８において、上述した過入力保護回路の場合、第２の実施形態で説明したローパスフィルタ４と同じ通過損失特性を有するローパスフィルタ４ｃが、耐サージダイオード２ａのアノード側とグランドとの間に設置される。このように、一方の耐サージダイオード２ａとグランドとの間に、ローパスフィルタ４ｃを設置することによって、本発明を実現することができる。
【００４５】
なお、図８に示した第３の変形例では、第１の実施形態で説明したノッチフィルタ３を用いることもできる。この場合、図８におけるローパスフィルタ４ｃの代わりにノッチフィルタ３を設置してもいいし、信号ラインと耐サージダイオード２ａのカソード側との間にノッチフィルタ３を設置してもかまわない。
【００４６】
本発明のアンテナ回路は、車両等の移動体に搭載され特定周波数の信号を受信する受信装置のアンテナ回路として好適である。例えば、車両から離れた所から集中ドアロックをユーザが遠隔操作するキーレスエントリーシステムの受信装置に搭載されるアンテナ回路や、車両の一定範囲内にユーザの送信機が存在するか否かに応じて自動解錠、施錠、エンジンの始動、停止等を制御するキーフリーシステムの受信装置に搭載されるアンテナ回路や、盗難防止システム、イモビライザーシステム等の受信装置に搭載されるアンテナ回路等に適用可能である。移動体に搭載される受信装置は、テレビ放送やＦＭ放送等の送信塔近傍の強電界地域に停車される等、受信環境の変化が激しいため、本発明のアンテナ回路を搭載することによる受信障害防止の効果が大きい。なお、本発明のアンテナ回路は、車両等の移動体以外に搭載される受信装置のアンテナ回路に適用可能であることは言うまでもない。
【産業上の利用可能性】
【００４７】
本発明に係るアンテナ回路は、アンテナ特性に影響を与えることなく高次歪による受信障害を回避することができ、特定周波数の信号を受信する受信装置等の用途に適用できる。
【図面の簡単な説明】
【００４８】
【図１】本発明の第１の実施形態に係るアンテナ回路を備えた受信装置の概略構成を示す図
【図２Ａ】図１のノッチフィルタ３の他方側が接地状態となったときの信号ラインに対する特性例を示す図
【図２Ｂ】図１のノッチフィルタ３の他方側がハイインピーダンス状態となったときの信号ラインに対する特性例を示す図
【図３】図１の受信装置に対して、他の位置にノッチフィルタ３を設置したアンテナ回路を備えた受信装置の概略構成を示す図
【図４】本発明の第２の実施形態に係るアンテナ回路を備えた受信装置の概略構成を示す図
【図５】図４のローパスフィルタ４の通過損失特性例を示す図
【図６】本発明に係るアンテナ回路の第１の変形例を示す図
【図７】本発明に係るアンテナ回路の第２の変形例を示す図
【図８】本発明に係るアンテナ回路の第３の変形例を示す図
【符号の説明】
【００４９】
１…アンテナ
２…耐サージダイオード
３…ノッチフィルタ
４、９３…ローパスフィルタ
９…電子回路部
９０…狭帯域フィルタ
９１…増幅器
９２…乗算器
９４…復調ＩＣ
９５…マイコン
Ｃ１〜Ｃ５、Ｃ３０…キャパシタ
Ｌ３０…インダクタ
【図１】
2008109189.tif 000004
【図２Ａ】
2008109189.tif 000005
【図２Ｂ】
2008109189.tif 000006
【図３】
2008109189.tif 000007
【図４】
2008109189.tif 000008
【図５】
2008109189.tif 000009
【図６】
2008109189.tif 000010
【図７】
2008109189.tif 000011
【図８】
2008109189.tif 000012